【事件の表示】
　特願２００３−　９２２３９「データ送信装置、データ送信方法、及び、データ送信プログラム」拒絶査定不服審判事件〔平成１６年　１月　８日出願公開、特開２００４−　　５５２５〕について、次のとおり審決する。
【結　論】
　本件審判の請求は、成り立たない。
【理　由】
第１．手続の経緯及び本願発明
　
１．手続の経緯
　
　本願は，平成１５年３月２８日（優先権主張，平成１４年３月２８日）の出願であって，平成１８年８月８日付けで拒絶の理由が通知され，同年１０月７日付けで手続補正書の提出がなされ，同年１１月１日付けで拒絶査定され，同年１２月２８日に拒絶査定不服の審判の請求がなされ，同日付けで手続補正書の提出がなされ，平成１９年１月２９日付けで手続補正書（審判請求書の請求の理由について補正したもの）の提出がなされ，平成１８年１２月２８日付けの手続補正書の提出により審査官による審査がされ，その審査の結果が平成１９年３月１４日付けで特許庁長官に報告（以下，「前置報告」という。）され，この前置報告を基に当審において，平成２１年１０月１日付けで審尋がされ，同年１２月３日付けで回答書の提出がなされたものである。
　
２．本願発明
　
　本願の請求項１に係る発明（以下，「本願発明」という。）は，平成１８年１２月２８日付け手続補正書の特許請求の範囲に記載された請求項１記載の事項により特定される次のとおりのものである。
　
「【請求項１】
　画像を記憶する画像記憶手段と、
　この記憶手段に記憶された画像を表示する表示手段と、
　この表示手段に表示されている画像の送信を指示する指示手段と、
　この指示手段によって送信が指示されると、前記表示されている画像を背景画像として送信すべき文書を作成する文書作成手段と、
　この文書作成手段により作成された文書、前記表示されている画像、及び、該画像を前記文書の背景画像として表示することが設定されたことを識別することが可能な情報を、１組のデータとして送信する送信手段と
を具備することを特徴とするデータ送信装置。」
　
　
第２．引用文献及び周知技術
　
１．引用文献について
　
　原査定の理由において引用文献１として引用された，タバタキヌ，ビギナーズ実戦記　デジカメ写真や音声を付けた楽しいメールを作ろう　デジカメ写真を使ってひな形メールを作ろう，日経ＰＣビギナーズ（日経ＰＣ２１　２００１年８月号増刊），日経ＢＰ社，２００１年７月１７日，第６巻第１６号，第５８〜６１頁（以下，「引用文献１」という。）には，図面とともに次の事項が記載されている。
　
（１）第５８ページには次の記載がある。
「ＨＴＭＬ形式のメールでは、文字に色をつけたり、画像や音、文字を組み合わせたメールを送ることができます。ただし、相手のパソコンがＨＴＭＬメールを読めるかどうか、事前に確認する必要があります。相手もメールソフトにＯＥを使っているのなら問題はありません。
　
ひな形を使って
ＨＴＭＬメールを送ってみる
　
　優美によれば、「
ひな形
　優美はまず、既存のひな形の使い方を実演してみせるという。今まで気づかなかったが、ＯＥ上部の「新しいメール」の右に「▼」がある（図３）。ここをクリックすると、下向きにメニユーが現れるので、「ひな形の選択」をクリック。すると、登録されているひな形の一覧が表示された（図４）。
　ファイルのどれかをクリックすると、右に
プレビュー
　すると、メールの作成画面が現れた。いつもと違うのは、選んだひな形の図柄が本文欄に入っていること（図５）。本文の欄で一度クリックすると、「件名」の下の部分が濃く表示された。ここで文字のスタイルを指定できるわけだ。
　フォント（書体）［注］を「ＭＳ明朝」、文字サイズを「１４」に指定して、本文を書いていく。練習として、海外暮らしをしている下の娘に宛てて、メールを出してみることに。「文字を太くしましょう。色も黒のままじゃ地味ね」。優美は書いた文字の上をドラグして反転させると、「Ｂ」をクリックして太字にし、色を白に変えた（図６）。
　送信の仕方はいつもと同じだ。メニューの「送信」をクリックすると、メールがいったん送信トレイに置かれる。次に「送受信」をクリックすれば、送信完了（図７、図８）。「ひな形メール」は、意外と手軽に使えそうだな。」
　
（２）第５９ページには次の記載がある。
「ひな形を使ったＨＴＭＬメールを作る
　
３ＯＥのひな形を使ってメールを作成する。メニューの「新しいメール」右の「▼」をクリックして，「ひな形の選択」をクリックすると，ひな形ファイルの一覧が現れる。
　
４見たいファイルをクリックすると（《１》），右のプレビュー画面に，ひな形のデザインが表示される。「ＯＫ」をクリックすると（《２》），そのひな形を使ったメール作成画面が立ち上がる。
　
５本文を入力したらドラグで選択（《１》）。文字の「フォント」や「サイズ」の右の「▼」をクリックして，「ＭＳ明朝」と「１４」をクリック（《２》，《３》）。
　
６文字列が選択されたままの状態で，「Ｂ」をクリックして太字にし（《１》），「Ａ」→「白」とクリックして，文字の色を白にする（《２》）。
　
７通常のメールと同じ手順で，宛先と件名を入力し（《１》，《２》），画面上部の「送信」をクリックする（《３》）。作成した，メールが送信トレイに置かれる。
　
８「送信トレイ」をクリックして（《１》），メールが送信トレイにあるのを確認。「送受信」をクリックすれば（《２》），送信完了。」
　
（３）同ページの左欄には次の記載がある。
「はみ出し用語解説
　ＨＴＭＬ／Ｈｙｐｅｒ　Ｔｅｘｔ　Ｍａｒｋｕｐ　Ｌａｎｇｕａｇｅのこと。ホームページ作成に用いられる言語で，この形式のメールは文字の大きさや色，背景などを指定できる。
　ひな形／「テンプレート」とも呼ばれる。ソフトに用意されたサンプルのことで，ＯＥの場合はこれを使うと見栄えの良い背景のメールを簡単に作れる。
　プレビュー／特定の操作をする前に，その結果を画面上で確認すること。またはその画面。」
　
（４）第６０ページには次の記載がある。
「デジカメ写真をひな形に設定する
　
　「じゃ、次はおとうさんの番よ」。優美が、今度はデジカメ写真を使って、オリジナルのひな形を作ってみたらという。そうだな。いつもの散歩コースで撮った、砂浜の写真を使ってみるか。
　まずは、「ペイント」で写真を縮小しておく。「メールの下地にするのだから」という助言で、先日メールに添付した写真よりはやや大きめのサイズに縮小して、「Ｍｙ　Ｐｉｃｔｕｒｅｓ」に保存しておいた。
　
ウィザードを使って
オリジナルのひな形を作る
　
　ＯＥの「新しいメール」右の「▼」をクリツクして（図１）、メニューの中から「ひな形の選択」をクリックで選ぶと、別画面に、ひな形の一覧が表示される（図２）。
「今度はここで、『新規作成』をクリックするの」と優美。言われた通りにやってみると、「ひな形セット
アップウィザード
　最初はひな形の「背景」、つまり地の図柄を指定する画面が現れた（図４）。自分の撮った写真を使うときは、「参照」をクリックするそうだ。すると別画面が現れる（図５）。「ファイルの場所」を「１００ＯＬＹＭＰ」に指定すると、写真の一覧が現れた（図６）。先ほど縮小した、海辺の写真のファイルをクリックして、「開く」をクリックする。
　「ひな形ウィザード」の画面に戻って、「プレビュー」には選んだ写真が表示されている（図７）。「位置」の右の「▼」をクリックし、この写真がメールの本文欄の真ん中にくるように「中央」「中央揃え」をクリック。その下の「並べ方」という欄は何だ？「一枚だけじゃなくて、写真を縦や横に繰り返し並べることもできるのよ」。今回は一枚でいいな。「色」の欄で、写真の周りに色を付けられるらしいが、なくてもいいだろう。
　「次へ」をクリックすると、文字の指定画面に切り替わった（図８）。メールに使う文字の「フォント（書体）」、「サイズ」、「色」などを決めていく。
　その次の画面は、「余白」の指定だ（図９）。これは画面の端から文字までの余白のことで、写真の位置とは関係ないらしい。ところで、「
ピクセル
　次の画面で、オリジナルのひな形に名前を付けて完成だ（図１０）。「完了」をクリックすると、「ひな形の選択」画面に戻った。ひな形の一覧表に、作ったばかりのひな形の名前が入っている（図１１）。「ＯＫ」をクリックすると、メールの作成画面が立ち上がった。本文欄に打ち込む文字が、指定した通りの茶色で表示される（図１２）。面白いもんだな。」
　
（５）同ページ左下欄には次の記載がある。
「オリジナルのひな形を登録する
　
１オリジナルのひな形を作る。画面上部の，「新しいメール」右にある「▼」をクリックして，「ひな形の選択」をクリックする。
　
２「ひな形の選択」画面が表示される。新しいひな形を作るときは，「新規作成」をクリックする。」
　
（６）第６１ページには次の記載がある。
「３「ひな形セットアップウィザード」画面が開いた。ここから先は，使用する画像や文字のフォント，色などを指定していく。この画面では「次へ」をクリックする。
　
４「背景」の設定画面が開いた。ここでは，まず地に敷く画像を指定する。自分の撮ったデジカメ写真を使うときは，「参照」をクリックする。
　
５「背景の画像」画面。写真が保存してあるフォルダを開く。左の「マイドキュメント」をクリック（《１》）。次にウインドウ内の「Ｍｙ　Ｐｉｃｔｕｒｅｓ」をダブルクリックして開く（《２》）。
　
６さらに「Ｍｙ　Ｐｉｃｔｕｒｅｓ」の中の「１００ＯＬＹＭＰ」をダブルクリックして開く。使う写真のファイルをクリックで選んだら（《１》），「開く」をクリックする（《２》）。
　
７元の画面に戻る。「プレビュー」に先ほど選んだ画像が表示されている。位置の欄の「▼」をクリックし，それぞれ「中央」「中央揃え」をクリックで選んだら（《１》，《２》），「次へ」をクリック（《３》）。
　
メールで使う
文字を決める
　
８「フォント」や「サイズ」，「色」を，それぞれ各欄の右の「▼」をクリックして一覧の中からクリックで選ぶ（《１》〜《３》）。最後に「次へ」をクリックする（《４》）。
　
９画面の端から文字までの余白を「▲」をクリックして「２５」にすると「プレビュー」に反映される。確認して「次へ」をクリック。
　
１０「プレビュー」に完成したひな形が表示されている。問題がないことを確認し，このひな形に適当な名前を入力したら，「完了」をクリックする。
　
１１「ひな形の選択」画面に戻る。一覧の中に作成したばかりのひな形の名前が追加され，選択されている。そのまま「ＯＫ」をクリック。
　
１２メールの画面に本文を入力。「Ｅｎｔｅｒ」キーやスペースキーを使って，見栄えをよくして「宛先」と「件名」を入力し，「送信」をクリック。あとの手順は５７ページ図１２〜図１４と同じ。」
　
（なお，上記（１）ないし（６）の摘記の下線は，この「１．引用文献について」においてのみ引用文献で付されていたものである。）
　
　上記において「《１》」は○内に数字の「１」を表し，同様に「《２》」は○内に数字の「２」，「《３》」は○内に数字の「３」，「《４》」は○内に数字の「４」を表すものである。
　
　上記摘記において「ＯＥ」とは引用文献１の第５６ページ中段第５ないし６行に記載のとおり「アウトルック・エクスプレス」という名称のメールソフトを意味するものである。
　
２．引用発明
　
　引用文献１には次の発明（以下，「引用文献１記載発明」という。）が記載されている。
　
「ひな形を使ってＨＴＭＬメールを送るときに，
　メニューの「新しいメール」右の「▼」をクリックして，「ひな形の選択」をクリックすると，ひな形ファイルの一覧が現れ，
　見たいファイルをクリックすると右のプレビュー画面に，ひな形のデザインが表示され，「ＯＫ」をクリックすると，そのひな形を使ったメール作成画面が立ち上がり，
　選んだひな形の図柄が本文欄に入っており，
　文字の「フォント」や「サイズ」の右の「▼」をクリックして，「ＭＳ明朝」と「１４」をクリックし，指定し，本文を書き，
　宛先と件名を入力し，画面上部の「送信」をクリックし，
　作成したメールが送信トレイに置かれ，
　「送信トレイ」をクリックして，メールが送信トレイにあるのを確認し，「送受信」をクリックすれば，送信完了する，
　ＨＴＭＬメールを作成するメールソフトであって，
　デジカメ写真を使って，オリジナルのひな形を登録するために，デジカメ写真を「ペイント」で縮小し，「Ｍｙ　Ｐｉｃｔｕｒｅｓ」に保存し，
　「ひな形セットアップウィザード」を開き，「次へ」をクリックし，
　「背景」の画面を開き，自分の撮ったデジカメ写真を使うときは，「参照」をクリックし，
　「マイドキュメント」をクリックし，次にウインドウ内の「Ｍｙ　Ｐｉｃｔｕｒｅｓ」をダブルクリックして開き，使う写真のファイルをクリックし選び，「開く」をクリックし，
　元の画面に戻り，「プレビュー」に選んだ画像が表示されており，位置の欄の「▼」をクリックし，それぞれ「中央」「中央揃え」をクリックで選び，「次へ」をクリックし，
　「フォント」や「サイズ」，「色」を，それぞれ各欄の右の「▼」をクリックして一覧の中からクリックで選び，最後に「次へ」をクリックし，
　画面の端から文字までの余白を「▲」をクリックして「２５」にすると「プレビュー」に反映され，確認して「次へ」をクリックし，
　「プレビュー」に完成したひな形が表示され，このひな形に適当な名前を入力し，「完了」をクリックし，
　「ひな形の選択」画面に戻り，ひな形の一覧表の中に作成したばかりのひな形の名前が追加され，選択され，「ＯＫ」をクリックすると，メールの作成画面が立ち上がり，
　メールの画面に本文を入力し，「宛先」と「件名」を入力する，
　ＨＴＭＬメールを作成するメールソフト。」
　
３．周知技術について
　
　本願の優先権主張の日の前に発行された文献，（株）アンク著，ＨＴＭＬタグ辞典　第４版，株式会社翔泳社発行，２００１年４月５日，初版第３刷，第７０〜７１頁（以下，「周知例１」という。），及び同じく頒布された文献である特開２００１−５１９１９号公報（以下，「周知例２」という。）には，図面とともに次の事項が記載されている。
　
（１）周知例１について
「２背景に画像を使いたい
　
＜ＢＯＤＹ　ＢＡＣＫＧＲＯＵＮＤ＝”★”＞〜＜／ＢＯＤＹ＞
　
★・・・・・・・画像ファイル名（ＵＲＬ）
　
ページの背景に画像を使う場合は，＜ＢＯＤＹ＞タグのＢＡＣＫＧＲＯＵＮＤ属性で使用する画像ファイルを指定します。読み込んだ画像は連続してタイル上に表示され，部分的に表示したり途中から変更したりすることはできません。
背景画像ですから，サイズの大きな重い画像ファイルはなるべく避けた方がよいでしょう。
　
ＳＯＵＲＣＥ
＜ＢＯＤＹ　ＢＡＣＫＧＲＯＵＮＤ＝”ｂｇ１．ｇｉｆ”＞
＜Ｐ＞
＜ＦＯＮＴ　ＳＩＺＥ＝”４”＞背景に画像を使っています。＜／ＦＯＮＴ＞
＜／Ｐ＞
＜／ＢＯＤＹ＞
　
ＤＩＳＰＬＡＹ
　
（中略）
　
テキストの読みやすい背景
　
背景に画像を使う場合，画像に合わせてテキストの色も変更することがあります（Ｐ．７４参照）。しかし背景画像の表示に時間がかかったりユーザーが画像を表示しないよう設定しているときなどに，指定した色によってはテキストが読めないこともあります。こうした状況も考えて，同時にＢＧＣＯＬＯＲ属性でテキストが読みやすい背景色も設定しておいたほうがよいでしょう。」
　
（２）周知例２について
「【００７１】（第１０の実施の形態）次に図２６及び図２７では、データ格納部３３に置いたテンプレートファイル８のファイル名を識別子としている。図２７は、このテンプレートファイル８を示すが、拡張子はｈｔｍｌであり、電子メールの本文等が流し込まれる位置や、画像が貼り込まれる位置の指定が書かれたハイパーテキストである。このため、メール処理プログラム３０は識別子で指定されたテンプレートファイルの所定の位置に電子メールの本文等を流し込み、これを表示用ｈｔｍｌファイルとして書き出すものである。上記２種のテンプレートファイルには、＜ｂｏｄｙ＞タグの属性としてｂａｃｋｇｒｏｕｎｄ（便箋画像である）を指定する。この便箋画像も指定されたパス上に予め用意しておく必要がある。
【００７２】さてメール処理プログラム３０は、登録ユーザーのＷｅｂブラウザ４に表示させた題名・送信者等のリストから読みたい電子メールを選択させ、受信した電子メールのヘッダを調べて識別子（ハイパーテキストのファイル名）が付加されているか否かをチェックする。続いて図２６で示すように、識別子が見つからない場合には予め用意した識別子無し用のテンプレートファイルの、また識別子が見つかった場合にはこの識別子に一対一対応したテンプレートファイル８の、件名流し込み部８１に電子メールの件名を、本文流し込み部８２に電子メールの本文を流し込んだ後に（ステップＳ３５）、これを表示用ｈｔｍｌファイルとして書き出し（ステップＳ３６）、この表示用ｈｔｍｌファイルを登録ユーザーに送信する（ステップＳ３７）。登録ユーザーのＷｅｂブラウザ４は、成形された電子メールの本文等を表示すると共に指定されたｂａｃｋｇｒｏｕｎｄ（便箋画像である）を表示する機能を有する。図２７では符号８０が背景画像指定部である。ここで例えば、テンプレートファイルの所定の位置に特定の画像が貼り付けられたり、バックグラウンドに画像（便箋画像である）が指定されていても、これ等の画像が存在しない場合には、登録ユーザーのＷｅｂブラウザ４はこれを表示することが出来ない。なお上記２種のテンプレートファイルは、画像を好みの位置に貼り込むように指定出来るから、電子メールを例えばバースデーカードのように表示することが出来るし、画像のみならず動画データや音楽データを出力させることが可能である。またスクリプトを実行出来るように拡張されたブラウザであれば、テンプレートファイルに書き込んだスクリプトが実行出来るため、用途がぐんと広がる。」
　
　周知例１及び周知例２の記載から，ＨＴＭＬにおいて，「タグ」を使用し，背景画像と文字を識別して表示させることが可能であることは周知の技術（以下，「周知技術」という。）である。
　また引用文献１第５９ページにも「ＨＴＭＬ／Ｈｙｐｅｒ　Ｔｅｘｔ　Ｍａｒｋｕｐ　Ｌａｎｇｕａｇｅのこと。ホームページ作成に用いられる言語で，この形式のメールは文字の大きさや色，背景などを指定できる。」との記載があり，該記載からも周知技術が見てとれる。
　
　
第３．対比・当審の判断
　
１．対比
　
　引用文献１記載発明と本願発明を対比する。
　引用文献１記載発明の「デジカメ写真」が「画像」であって，「Ｍｙ　Ｐｉｃｔｕｒｅｓ」に保存され，ひな形の図柄としてプレビューに表示されることは明らかであるから，引用文献１記載発明は「画像を記憶する画像記憶手段」，「画像記憶手段に記憶された画像を表示する表示手段」を備えているといえる。
　引用文献１記載発明は，ひな形を使ってＨＴＭＬメールを送るときに「メニューの「新しいメール」右の「▼」をクリックして，「ひな形の選択」をクリックすると，ひな形ファイルの一覧が現れ，見たいファイルをクリックすると右のプレビュー画面に，ひな形のデザインが表示され，
「ＯＫ」をクリックする
　メールソフトを利用するために，通信装置を備えたパーソナルコンピュータにメールソフトをアプリケーションとして搭載，インストールすることは周知であり，引用文献１記載発明もパソコン，パーソナルコンピュータにおいて利用されることは明らかである。よって，メールソフトを利用するためにパーソナルコンピュータに搭載した状態では，メールソフトはデータ送信装置といえる。
　
　以上から，本願発明と引用文献１記載発明は次の点で一致・相違する。
　
＜一致点＞
「画像を記憶する画像記憶手段と、
　この記憶手段に記憶された画像を表示する表示手段と、
　この表示手段に表示されている画像の送信を指示する指示手段と、
　この指示手段によって送信が指示されると、前記表示されている画像を背景画像として送信すべき文書を作成する文書作成手段と、
　この文書作成手段により作成された文書、前記表示されている画像を、１組のデータとして送信する送信手段と
を具備することを特徴とするデータ送信装置。」
　
＜相違点＞
　本願発明において，送信手段により送信される１組のデータは，この文書作成手段により作成された文書、前記表示されている画像，及び，「該画像を前記文書の背景画像として表示することが設定されたことを識別することが可能な情報」であるのに対して，引用文献１記載発明は該「識別することが可能な情報」を送信する記載がない点。
　
２．当審の判断
　
＜相違点＞について
　ＨＴＭＬ形式のメール，ＨＴＭＬメールにおいて，使用されているＨＴＭＬ（ＨｙｐｅｒＴｅｘｔＭａｒｋｕｐＬａｎｇｕａｇｅ）では，「タグ」といわれる手段を使ってテキスト構造や修飾情報などを追加し，コンピュータが読めるようにしており，タグを使用することにより背景画像と文字を識別して表示させることが可能であることは明白である（上記「第３．３．周知技術について」参照。）。
　そして，引用文献１記載発明もＨＴＭＬメールを使用し，背景画像及び文書を送信するものである。
　したがって，引用文献１記載発明において，画像を文書の背景として表示することが設定されたことを識別することが可能な情報を，１組のデータとして送信するようにすることは当業者が容易に想到し得たものである。
　
＜請求人の主張＞について
　請求人は，平成１９年１月２９日付け手続補正書の【本願が発明が特許されるべき理由】の項の「（４）本願発明と各引用発明との対比」において，
「引用発明１には、特に６０ページにおいて、電子メールソフトウェアであるＯｕｔｌｏｏｋ　Ｅｘｐｒｅｓｓを起動させ、その中のＨｔｍｌ形式のメールにおけるひな形の作成方法として、ひな形セットアップウィザードの一連の手順が説明されており、この中において、背景画像としてデジカメで撮影した画像を背景画像として選択できること、また、選択した画像、文字の「フォント」、「サイズ」、「色」を指定して、ひな形が作成されることが説明されています。
　しかしながら、この技術内容においては、
背景画像を設定する場合は、まず、電子メールソフトウェアであるＯｕｔｌｏｏｋ　Ｅｘｐｒｅｓｓを起動させなくてはなりません。
背景画像として送信することを指示する際に、事前に電子メールソフトウェアを起動させる必要がなく
　平成２１年１２月３日付け回答書の【回答の内容】の項において，
「
確かに補正された請求項の記載には、上記前置審査官が指摘するように「ソフトウェアの起動のタイミング」については明確な言及はされておりませんが、明細書におけるステップＳ２１２の「表示部１３にメール作成画面を表示する」ことが、出願時における技術水準から照らし合わせて「ソフトウェアの起動のタイミング」であることは明白であります
  
 　また、本願発明は、「画像が表示されている状態からこの画像を背景画像としてメール作成を指示できること」を作用効果として特定しており、このような作用効果を奏する各構成は、審査段階にて挙げられた各引用文献の技術から当業者が適宜選択しうる事項ではないと思料致します。」，
とそれぞれにおいて主張している。
　
　請求人の主張について検討する。
　請求人の主張を総合すると，その概略は「本願発明は画像を表示しているとき，画像の送信の指示をすると，（メールのソフトウェアが起動し）メール作成画面を表示するものであるのに対して，引用文献１記載発明はメールのソフトウェア（「ＯＥ」）を起動し，画像を表示しているときの指示によりメール作成画面を表示するものである点で相違する」ことを主張しているといえる。
　しかしながら，本願発明には発明を特定する事項として，画像を表示することとメールのソフトウェアの起動のタイミングとの関係についての記載はなく，請求人の主張を採用することはできない。
　
　なお，本願の優先権主張の日の前に頒布された刊行物である
特開２００１−３２６８８５号公報
【従来の技術】近年、デジタルカメラの普及に伴い大量の画像を気軽に撮影し、これをPCに取り込み保存し、これらの画像を自分で印刷したり、あるいは電子メールに添付して送ったりといったことが簡単にできるようになってきている。
【０００３】このような使い方に伴い、PCで画像を管理し、印刷や電子メールに添付することができる画像管理ソフトウェアも多数発売されてきている。
【０００４】これら画像管理ソフトウェアの代表的な例を図１に示す。このように、１で、画像を表示したいフォルダを選択すると、２に、そのフォルダ内の画像ファイルをサムネイル形式（縮小して表示した画像）で表示し、ユーザに間単にたくさんの画像を一度に見られるようにしている。そしてここから、３で、あるサムネイルを選択してダブルクリックすると、別ウインドウで、その画像を大きく表示することができる。また、あるサムネイルを選択して、印刷を指定すると、印刷が実行できる。また、
あるサムネイルを選択して「Eメールに送る」を指定すると、メールソフトを起動しそこに画像ファイルを自動的に添付してくれるものもある
間単
簡単
　上記の検討をかんがみ，審判請求書の請求の理由，回答書の回答の内容の記載を総合して検討しても，原査定を取り消すに足りる根拠は見いだせない。
　
　
　そして，本願発明のように構成したことによる効果も引用文献１記載発明及び周知技術に基づいて，当業者が予測しうる程度のものである。
　
　したがって，本願発明は，引用文献１記載発明及び周知技術に基づいて，当業者が容易に発明をすることができたものである。
　
　
第４．まとめ
　
　以上のとおりであるから，本願発明は，特許法第２９条第２項の規定により特許を受けることができない。
　したがって，他の請求項について論及するまでもなく，本願は拒絶すべきものである。
　
　よって，結論のとおり審決する。